(57)【特許請求の範囲】
【請求項１】
用紙支持面上に支持された用紙に作図を行うための画線ヘッド（2）に、ばね力によって上方に付勢されたカツタホルダ（20）を昇降自在に保持し、前記カッタホルダ（20）を下降切断位置に係止する解除可能なロック機構を設け、前記ロック機構にロック解除片（30a）を設け、前記画線ヘッド（2）の移動によって前記ロック解除片（30a）を作画領域外の固定物（38）に押し付けると前記ロック機構が解除されて前記カッタホルダ（20）が上昇するように成し、前記カッタホルダ（20）を下降位置にロックした状態で前記画線ヘッド（2）を用紙支持面上の用紙を横切る方向に移動し、前記カッタホルダ（20）の先端のカツタ（22）によって用紙を切断するようにしたプロッタにおいて、前記カッタホルダ上昇動作をプロッタの電源投入後と、プロッタの作画実行前にそれぞれ実行するようにしたコントローラを備えていることを特徴とするプロッタ。
【発明の詳細な説明】
【０００１】
【発明の属する技術分野】
本発明は、ロール紙に対して画線ヘッドをＸ−Ｙ方向に相対移動させて作図を行うプロッタに関する。
【０００２】
【従来の技術】
実公昭６１−１４４４２号公報には、印字ヘッドを搭載してプラテンに沿って走行するキャリッジに作動体を設け、該作動体がキャリッジの移動により不動部材に当接して変位させられると、媒体切断部材が昇降するように構成されたプリンタが開示されている。また、特開平３−２０８５９５号公報には、ペンブロックのＹ軸スライダーに沿った移動によってカムレバーを固定側のカムレバー押し棒に押し付け、カッターユニットを昇降制御する記録装置が開示されている。
【０００３】
【発明が解決しようとする課題】
上記従来装置は、作画、印字動作の後に、カッタを上昇させておいたとしても、次の作画、印字までの間に何らかの影響でカッタが下降していた場合に、そのままの状態で作画、印字を実行してしまう虞がある。
本発明は上記問題点を解決することを目的とするものである。
【０００４】
【課題を解決するための手段】
上記目的を達成するため、本発明は、用紙支持面上に支持された用紙に作図を行うための画線ヘッド（2）に、ばね力によって上方に付勢されたカツタホルダ（20）を昇降自在に保持し、前記カッタホルダ（20）を下降切断位置に係止する解除可能なロック機構を設け、前記ロック機構にロック解除片（30a）を設け、前記画線ヘッド（2）の移動によって前記ロック解除片（30a）を作画領域外の固定物（38）に押し付けると前記ロック機構が解除されて前記カッタホルダ（20）が上昇するように成し、前記カッタホルダ（20）を下降位置にロックした状態で前記画線ヘッド（2）を用紙支持面上の用紙を横切る方向に移動し、前記カッタホルダ（20）の先端のカツタ（22）によって用紙を切断するようにしたプロッタにおいて、前記カッタホルダ上昇動作をプロッタの電源投入後と、プロッタの作画実行前にそれぞれ実行するようにしたコントローラを備えているものである。
【０００５】
【発明の実施の形態】
以下に本発明の好適な実施の形態を添付した図面を参照して詳細に説明する。２はコントローラ（図示省略）によって制御されるプロッタの画線ヘッドであり、横レール４に、これに沿って移動可能に取り付けられている。前記画線ヘッド２の基板２ａには、昇降駆動装置に連結する筆記具保持手段６が昇降可能に支承され、該筆記具保持手段６に中空ペン、ボールペン、ペンシルなどの筆記具８が軸方向にずれないように脱着可能に保持されている。
【０００６】
横レール４の下方には、ロール用紙１０の繰り出し部を支持するプラテン１２が配設されている。プラテン１２上の用紙１０は、駆動ローラと押えローラとから成る用紙送り機構によって把持されている。プラテン１２と同一平面上の作画ローラ上に載置されたロール用紙１０は、作画時、図１中、用紙垂直方向に前後に送られる。一方、画線ヘッド２は横レール４に沿って図１中、左右方向に移動し、且つ、筆記具保持手段６が上下方向に駆動される。これにより筆記具８の先端が、用紙１０に対して接触あるいは離反し、用紙１０の前後動及び画線ヘッド２の左右方向の移動との相互作用によって、用紙１０に、コンピュータからコントローラに転送された作画情報が作画されるように構成されている。
【０００７】
１４，１６は画線ヘッド２の基板２ａに固設された一対のＬ型アームであり、該Ｌ型アーム１４，１６に対向してアーム１８が固設されている。前記アーム１４，１６，１８は、カッタホルダ２０を作画面に対して垂直方向に昇降自在に支持する昇降ガイドを構成している。前記カッタホルダ２０の先端にはカッタ２２が脱着可能にねじ止めされている。前記カッタホルダ２０に縦方向に延びる長穴２４が形成され、該長穴２４に画線ヘッド２の基板２ａのねじ穴に捩じ込まれた段付きネジ２６がスライド自在に嵌挿されている。前記カッタホルダ２０はばね２８によって上方向に付勢されている。
【０００８】
３０はロック機構のインデックスレバーであり、画線ヘッド２の基板２ａに回転自在に軸３２支されている。前記カッタホルダ２０の側面にはインデックス凹部３４が穿設され、該インデックス凹部３４に前記インデックスレバー３０のインデックス爪３０ｂが巻きバネ３６の付勢力によって嵌合し、カッタホルダ２０は下降切断位置にロックされるように構成されている。前記インデックスレバー３０、インデックス凹部３４は解除可能なロック機構を構成している。
【０００９】
横レール４の左端非作画領域には、プロッタの側面壁３８即ち、固定物が配設され、前記インデックスレバー３０の他方のロック解除片３０ａが、この側面壁３８に対向している。
上記した構成において、プロッタの電源スイッチを入れ、電源を投入すると（ステップ１）、プロッタのコントローラは、初期動作（イニシャライズ）に移行する（ステップ２）。初期動作に移行すると、コントローラは画線ヘッド２を横レール４に沿って図１中、左方向に移動し、図２に示すように、印字領域外のプロッタの側面壁３８にインデックスレバー３０の他方即ち、ロック解除片３０ａを押し当てる。
【００１０】
このとき、カッタホルダ２０が下降状態にあれば、インデックスレバー３０は、巻きバネ３６のトルクに抗して、図２中、軸３２を中心として、反時計方向に回動し、インデックス爪３０ｂが、カッタホルダ２０のインデックス凹部３４から外れる。これにより、カッタホルダ２０は、バネ２８の引張力によって上昇する（ステップ３）。カッタホルダ２０の上昇動作が完了すると、プロッタは作画準備を完了する（ステップ４）。次に、プロッタ操作パネル上の作画スタートをオンとすると、コントローラにコンピュータから作画指令が転送される（ステップ５）。コントローラは、作画の前に、まず、カッタ上昇動作を行う（ステップ６）。このカッタ上昇動作は、上記ステップ３で説明した動作と同じである。
【００１１】
このカッタ上昇動作が終わると、コントローラは、画線ヘッド２を作画原点に復帰させ、しかる後に作画動作に移行する（ステップ７）。プロッタの作画動作が完了すると（ステップ８）、操作者は、手でカッタホルダ２０を押し下げる。カッタホルダ２０が上昇状態から手で所定下降位置まで押し下げられると、インデックス爪３０ｂがカッタホルダ２０のインデックス凹部３４に嵌合し、カッタホルダ２０は、インデックス爪３０ｂとインデックス凹部３４とによって、下降位置に保持される。この下降位置は、カッタ２２の先端がプラテン１２のカッタ溝に嵌入し、カッタ２２がロック用紙１０を切断することか可能な高さに設定されている。
【００１２】
次に、操作パネル上の用紙カットスイッチを押すと、画線ヘッド２が、図１中、左方向に移動し、ロール用紙１０を左から右へカットしてゆく（ステップ９）。ロール用紙１０の切断が終わると、次に、コントローラは、カッタ上昇動作を行い（ステップ１０）次の作図を待機する状態となる（ステップ１１）。
【００１３】
【効果】
本発明は上述の如く構成したので、カッタの誤動作を確実に防止することができる。
【図面の簡単な説明】
【図１】プロッタの要部の正面図である。
【図２】ロック機構のカッタホルダに対するロックが解除された状態を示す正面図である。
【図３】カッタホルダ保持機構の平面図である。
【図４】本発明の動作を示すフローチャートである。
【図５】本発明の動作を示すフローチャートである。
【符号の説明】
２      画線ヘッド
４      横レール
６      筆記具保持手段
８      筆記具
１０    用紙
１２    プラテン
１４    Ｌ型アーム
１６    Ｌ型アーム
１８    アーム
２０    カッタホルダ
２２    カッタ
２４    長穴
２６    段付きネジ
２８    ばね
３０    インデックスレバー
３０ｂ  インデックス爪
３２    軸
３４    インデックス凹部
３６    巻きバネ
３８    側面壁（固定物）
【図１】
0003673310.tif 000002
【図２】
0003673310.tif 000003
【図３】
0003673310.tif 000004
【図４】
0003673310.tif 000005
【図５】
0003673310.tif 000006